(57)【要約】【課題】取得した画像について、実効ある要不要の見直しと整理を行うことのできる画像ファイリング装置、画像ファイリングプログラム、画像ファイリング方法及び記録媒体を提供する。【解決手段】外部より画像を取得する画像取得ステップと、取得した画像を記憶する画像記憶ステップと、画像を選択して表示する画像表示ステップと、前記画像メモリに記憶されている画像のうち、前記画像表示ステップで選択して表示されたことが無い画像を抽出する第1の未表示画像抽出ステップと、前記第1の未表示画像抽出ステップで抽出された画像を通知する通知ステップとを有する画像ファイリング方法である。【選択図】図２
2007066241.tif 000002
【特許請求の範囲】
【請求項１】
画像を記憶し、管理する画像ファイリング装置であって、
外部より画像を取得する画像取得手段と、
取得した画像を記憶する画像記憶手段と、
画像を表示する画像表示手段と、
前記画像記憶手段に記憶されている画像のうち、前記画像表示手段に表示されたことが無い画像を抽出する第1の未表示画像抽出手段と、
前記第1の未表示画像抽出手段で抽出された画像を通知する通知手段とを有することを特徴とする画像ファイリング装置。
【請求項２】
前記画像を前記画像表示手段で表示した日時を特定する画像表示日時特定手段と、
前記画像表示日時特定手段が特定した日時情報をもとに、前記記憶手段に記憶された画像のうち、前記画像表示手段に表示されていない期間が所定期間以上経過した画像を抽出する第2の未表示画像抽出手段とを更に有し、
前記通知手段は前記第1の未表示抽出手段又は前記第2の未表示抽出手段で抽出した画像を通知することを特徴とする請求項1に記載の画像ファイリング装置。
【請求項３】
前記通知手段は、前記ファイリング装置が起動するタイミング又は外部から画像を取得するタイミングで前記未表示画像を検索して通知することを特徴とする請求項1又は２に記載の画像ファイリング装置。
【請求項４】
画像を画像メモリに記憶して管理する画像ファイリング装置で実行されるプログラムであって、
外部より画像を取得する画像取得ステップと、
取得した画像を記憶する画像記憶ステップと、
画像を選択して表示する画像表示ステップと、
前記画像メモリに記憶されている画像のうち、前記画像表示ステップで選択して表示されたことが無い画像を抽出する第1の未表示画像抽出ステップと、
前記第1の未表示画像抽出ステップで抽出された画像を通知する通知ステップと、
を有することを特徴とする画像ファイリングプログラム。
【請求項５】
前記画像を前記画像表示ステップで表示した日時を特定する画像表示日時特定ステップと、
前記画像表示日時特定ステップで特定した日時情報をもとに、前記画像メモリに記憶された画像のうち、表示されていない期間が所定期間以上経過した画像を抽出する第2の未表示画像抽出ステップとを更に有し、
前記通知ステップは前記第1の未表示抽出ステップ又は前記第2の未表示抽出ステップで抽出した画像を通知することを特徴とする請求項４に記載の画像ファイリングプログラム。
【請求項６】
前記通知ステップは、前記画像ファイリングプログラムを含むソフトウェアが起動するタイミング又は外部から画像を取得するタイミングで前記未表示画像を検索して通知することを特徴とする請求項４又は５に記載の画像ファイリングプログラム。
【請求項７】
画像を画像メモリに記憶して管理する画像ファイリング装置の画像ファイリング方法であって、
外部より画像を取得する画像取得ステップと、
取得した画像を記憶する画像記憶ステップと、
画像を選択して表示する画像表示ステップと、
前記画像メモリに記憶されている画像のうち、前記画像表示ステップで選択して表示されたことが無い画像を抽出する第1の未表示画像抽出ステップと、
前記第1の未表示画像抽出ステップで抽出された画像を通知する通知ステップと、
を有することを特徴とする画像ファイリング方法。
【請求項８】
前記画像を前記画像表示ステップで表示した日時を特定する画像表示日時特定ステップと、
前記画像表示日時特定ステップで特定した日時情報をもとに、前記画像メモリに記憶された画像のうち、表示されていない期間が所定期間以上経過した画像を抽出する第2の未表示画像抽出ステップとを更に有し、
前記通知ステップは前記第1の未表示抽出ステップ又は前記第2の未表示抽出ステップで抽出した画像を通知することを特徴とする請求項７に記載の画像ファイリング方法。
【請求項９】
画像を画像メモリに記憶して管理する画像ファイリング装置で実行されるプログラムを記録した記録媒体であって、
外部より画像を取得する画像取得ステップと、
取得した画像を記憶する画像記憶ステップと、
画像を選択して表示する画像表示ステップと、
前記画像メモリに記憶されている画像のうち、前記画像表示ステップで選択して表示されたことが無い画像を抽出する第1の未表示画像抽出ステップと、
前記第1の未表示画像抽出ステップで抽出された画像を通知する通知ステップと、
を有する画像ファイリングプログラムを記録したことを特徴とする記録媒体。
【請求項１０】
前記画像を前記画像表示ステップで表示した日時を特定する画像表示日時特定ステップと、
前記画像表示日時特定ステップで特定した日時情報をもとに、前記画像メモリに記憶された画像のうち、表示されていない期間が所定期間以上経過した画像を抽出する第2の未表示画像抽出ステップとを更に有し、
前記通知ステップは前記第1の未表示抽出ステップ又は前記第2の未表示抽出ステップで抽出した画像を通知する画像ファイリングプログラムを記録したことを特徴とする請求項９に記載の記録媒体。
【発明の詳細な説明】
【技術分野】
【０００１】
本発明は、取得した画像について、実効ある要不要の見直しと整理を行うことのできる画像ファイリング装置、画像ファイリングプログラム、画像ファイリング方法及び記録媒体に関する。
【背景技術】
【０００２】
デジタルカメラが一般的に普及し、各ユーザが管理する画像数も膨大なものとなってきている。そうした膨大な画像の中には、表示されないまま埋もれてしまっている画像が数多くある可能性が否定できない。そのため、不必要な画像が残存してメモリを圧迫している可能性もある。  
そこで、最近表示されていない画像あるいは表示回数が少ない画像を抽出して表示する技術が開示されている（例えば、特許文献１参照）。
【特許文献１】特開２００２−１８９７５３号公報
【発明の開示】
【発明が解決しようとする課題】
【０００３】
ところで、特許文献１に記載の技術では、最近表示されていない画像あるいは表示回数が少ない画像を検索するソフトウエアをユーザが起動する必要がある。即ち、特許文献１に記載の技術では、未表示の画像などを検索しようとするユーザの積極的な意思が必要である。従って、そうした処理をユーザが定期的に実行しない場合は、未表示の画像など整理すべき画像の数はますます増加していくことになる。その結果、画像の見直し、整理の実効が図れないおそれがある。
【０００４】
本発明は、かかる事情に鑑みてなされたものであり、取得した画像について、実効ある要不要の見直しと整理を行うことのできる画像ファイリング装置、画像ファイリングプログラム、画像ファイリング方法及び記録媒体を提供することを目的とする。
【課題を解決するための手段】
【０００５】
上記課題を解決するための、本発明に係る請求項１に記載の画像ファイリング装置は、画像を記憶し、管理する画像ファイリング装置であって、外部より画像を取得する画像取得手段と、取得した画像を記憶する画像記憶手段と、画像を表示する画像表示手段と、前記画像記憶手段に記憶されている画像のうち、前記画像表示手段に表示されたことが無い画像を抽出する第1の未表示画像抽出手段と、前記第1の未表示画像抽出手段で抽出された画像を通知する通知手段とを有する。
【０００６】
また本発明に係る請求項２に記載の画像ファイリング装置は、上記記載の発明であるファイリング装置において、前記画像を前記画像表示手段で表示した日時を特定する画像表示日時特定手段と、前記画像表示日時特定手段が特定した日時情報をもとに、前記記憶手段に記憶された画像のうち、前記画像表示手段に表示されていない期間が所定期間以上経過した画像を抽出する第2の未表示画像抽出手段とを更に有し、前記通知手段は前記第1の未表示抽出手段又は前記第2の未表示抽出手段で抽出した画像を通知する。
【０００７】
また本発明に係る請求項３に記載の画像ファイリング装置は、上記記載の発明であるファイリング装置において、前記通知手段は、前記ファイリング装置が起動するタイミング又は外部から画像を取得するタイミングで前記未表示画像を検索して通知する。
【０００８】
また本発明に係る請求項４に記載のプログラムは、画像を画像メモリに記憶して管理する画像ファイリング装置で実行されるプログラムであって、外部より画像を取得する画像取得ステップと、取得した画像を記憶する画像記憶ステップと、画像を選択して表示する画像表示ステップと、前記画像メモリに記憶されている画像のうち、前記画像表示ステップで選択して表示されたことが無い画像を抽出する第1の未表示画像抽出ステップと、前記第1の未表示画像抽出ステップで抽出された画像を通知する通知ステップとを有する。
【０００９】
また本発明に係る請求項５に記載のプログラムは、上記記載の発明であるプログラムにおいて、前記画像を前記画像表示ステップで表示した日時を特定する画像表示日時特定ステップと、前記画像表示日時特定ステップで特定した日時情報をもとに、前記画像メモリに記憶された画像のうち、表示されていない期間が所定期間以上経過した画像を抽出する第2の未表示画像抽出ステップとを更に有し、前記通知ステップは前記第1の未表示抽出ステップ又は前記第2の未表示抽出ステップで抽出した画像を通知する。
【００１０】
また本発明に係る請求項６に記載のプログラムは、上記記載の発明であるプログラムにおいて、前記通知ステップは、前記画像ファイリングプログラムを含むソフトウェアが起動するタイミング又は外部から画像を取得するタイミングで前記未表示画像を検索して通知する。
【００１１】
また本発明に係る請求項７に記載の画像ファイリング方法は、画像を画像メモリに記憶して管理する画像ファイリング装置の画像ファイリング方法であって、外部より画像を取得する画像取得ステップと、取得した画像を記憶する画像記憶ステップと、画像を選択して表示する画像表示ステップと、前記画像メモリに記憶されている画像のうち、前記画像表示ステップで選択して表示されたことが無い画像を抽出する第1の未表示画像抽出ステップと、前記第1の未表示画像抽出ステップで抽出された画像を通知する通知ステップとを有する。
【００１２】
また本発明に係る請求項８に記載の画像ファイリング方法は、上記記載の発明である画像ファイリング方法において、前記画像を前記画像表示ステップで表示した日時を特定する画像表示日時特定ステップと、前記画像表示日時特定ステップで特定した日時情報をもとに、前記画像メモリに記憶された画像のうち、表示されていない期間が所定期間以上経過した画像を抽出する第2の未表示画像抽出ステップとを更に有し、前記通知ステップは前記第1の未表示抽出ステップ又は前記第2の未表示抽出ステップで抽出した画像を通知する。
【００１３】
また本発明に係る請求項９に記載の記録媒体は、画像を画像メモリに記憶して管理する画像ファイリング装置で実行されるプログラムを記録した記録媒体であって、外部より画像を取得する画像取得ステップと、取得した画像を記憶する画像記憶ステップと、画像を選択して表示する画像表示ステップと、前記画像メモリに記憶されている画像のうち、前記画像表示ステップで選択して表示されたことが無い画像を抽出する第1の未表示画像抽出ステップと、前記第1の未表示画像抽出ステップで抽出された画像を通知する通知ステップとを有する画像ファイリングプログラムを記録した。
【００１４】
また本発明に係る請求項１０に記載の記録媒体は、上記記載の発明である記録媒体であって、前記画像を前記画像表示ステップで表示した日時を特定する画像表示日時特定ステップと、前記画像表示日時特定ステップで特定した日時情報をもとに、前記画像メモリに記憶された画像のうち、表示されていない期間が所定期間以上経過した画像を抽出する第2の未表示画像抽出ステップとを更に有し、前記通知ステップは前記第1の未表示抽出ステップ又は前記第2の未表示抽出ステップで抽出した画像を通知する画像ファイリングプログラムを記録した。
【発明の効果】
【００１５】
本発明によれば、取得した画像について、実効ある要不要の見直しと整理を行うことができる。
【発明を実施するための最良の形態】
【００１６】
［第１の実施の形態］
図１は、本発明の第１の実施の形態に係る画像ファイリング装置１０の構成を示す図である。画像ファイリング装置１０は、表示部１１、操作部１２、画像入力部１３、画像管理ＤＢ１４、画像メモリ１５、プログラムメモリ１６、処理部１７及び時間管理部１８を備えている。
【００１７】
表示部１１は、ＣＲＴまたはＴＦＴ液晶ディスプレイである。操作部１２は、ユーザからの操作指示入力を受取るためのキーボード、マウス等の入力デバイスである。画像入力部１３は、例えば、記録媒体やデジタルカメラ等の外部装置（不図示）から画像フアイル等の情報を取得するためのインターフェースである。画像管理ＤＢ１４は、画像ファイリング装置１０に保存された画像の表示に関する管理情報を記憶する。画像メモリ１５は、画像ファイルを格納するバッファメモリである。プログラムメモリ１６は、画像ファイリング装置１０の各機能を制御するプログラムを保存する。処理部１７は、画像ファイリング装置１０の動作を統括的に制御する。時間管理部１８は、画像ファイリング装置１０の実時間を管理する。
【００１８】
続いて、画像ファイリング処理の手順を図２を参照しつつ説明する。  
ユーザが画像入力部１３を介して、記録媒体やデジタルカメラ等の外部装置から画像を画像ファイリング装置１０に入力すると、ステップＳ０１において、処理部１７は画像ファイリングソフトウエアを起動する。
【００１９】
ステップＳ０２でＹｅｓの場合、即ち、画像を取込んだときは、画像ファイリングソフトウエアは、ステップＳ０３において、画像メモリ１５内に未表示の画像があるかどうかを調べる。画像メモリ１５内に未表示の画像があるかどうかは、画像管理ＤＢ１４内の画像管理ファイルを調べることによって判断することができる。
【００２０】
図３は、画像管理ファイル２５の内容を示す図である。  
画像管理ファイル２５には、「ファイル名」、「取込日時」、「最新表示日時」、「表示回数」、「表示予定日時」が記録されている。  
「ファイル名」は、画像メモリ１５に保存されている画像ファイルの名前を表している。「取込日時」は、その画像ファイルを画像入力部１３を介して画像メモリ１５に取込んだ日付を表している。「最新表示日時」は、その画像ファイルが表示部１１に表示された最新の日付を表している。「表示回数」は、その画像ファイルが表示部１１に表示された回数を表している。「表示予定日時」は、その画像ファイルを表示するどうかをユーザに知らせる予定の日付を表している。
【００２１】
図２に戻り、ステップＳ０４でＮｏの場合、即ち、画像管理ファイル２５の「表示回数」が０となっている画像ファイルがない場合は、未表示画像がないため、ステップＳ１２において画像入力部１３からの画像の取り込みを実行する。そして、ステップＳ１３において、取込んだ画像について画像管理ファイル２５に情報を設定する。  
即ち、画像管理ファイル２５の「ファイル名」には、取込んだ画像ファイルの名前を記載する。「取込日時」には、現在の日付を記載する。「最新表示日時」には、ブランクを記入する。「表示回数」には、０を記入する。「表示予定日時」には、１ヶ月後の日付を記入する。  
なお、この画像の読込時に記入する「表示予定日時」は、現在からあまり間隔を置かない日付とすることが望ましい。
【００２２】
一方、ステップＳ０４でＹｅｓの場合、即ち、画像管理ファイル２５の「表示回数」が０となっている画像ファイルが１つ以上存在する場合は、その画像ファイルが未表示画像であるため、ステップＳ０５においてメッセージ画面を表示する。  
図４は、メッセージ画面２６を示す図である。メッセージ画面２６には、未表示情報欄２６ａ、閲覧ボタン２６ｂ、削除ボタン２６ｃ、キャンセルボタン２６ｄが設けられている。  
未表示情報欄２６ａには、未表示画像の「取込日時」とその枚数が表示される。例えば、図３に示す画像管理ファイル２５について、２００４年９月１５日に画像の取込を実施した場合は、図４に示すメッセージ画面２６が表示される。
【００２３】
図２に戻り、ステップＳ０６〜Ｓ０７において、ユーザが未表示情報欄２６ａに表示されるリストを選択して、閲覧ボタン２６ｂを押すと、ステップＳ０８に示す検索結果画像閲覧処理（図５）を実行する。
【００２４】
図５のステップＴ０１において、図６に示す検索画像一覧画面２７を表示する。  
検索画像一覧画面２７には、画像表示エリア２７ａ、表示ボタン２７ｂ、削除ボタン２７ｃ、終了ボタン２７ｄが設けられている。  
そして、画像表示エリア２７ａには、選択された取込日時をもつ未表示画像の一覧がサムネイルで表示される。
【００２５】
図５のステップＴ０２〜Ｔ０３において、ユーザが１つのサムネイル画像を選択して表示ボタン２７ｂを押すと、ステップＴ０４において、選択されたサムネイル画像に対応する実サイズの画像を表示部１１に表示する。そして、ステップＴ０５において、表示した画像について、画像管理ファイル２５に情報を設定する。  
即ち、表示した画像ファイルの名前と同一の「ファイル名」の行について、「最新表示日時」には、現在の日付を記入する。「表示回数」には、値を＋１インクリメントして記入する。「表示予定日時」には、例えば、６ヶ月後の日付を記入する。  
ここで、一回以上表示されている画像に対しては、ユーザが煩わしいと感じないある程度の長い期間であることが望ましい。  
そして、ステップＴ０２に戻り、ユーザの次の画像選択操作を待機する。
【００２６】
図５のステップＴ０２、Ｔ０６において、ユーザが少なくとも１つのサムネイル画像を選択して削除ボタン２７ｃを押すと、ステップＴ０７において、選択された画像を削除するとともに、画像管理ファイル２５から当該画像ファイルに関する情報を削除する。  
そして、ステップＴ０２に戻り、ユーザの次の画像選択操作を待機する。
【００２７】
図５のステップＴ０２、Ｔ０８において、ユーザが終了ボタン２７ｄを押すと、検索結果画像閲覧処理を終了する。そして、図２に戻り、ステップＳ０６において、メッセージ画面２６を表示して、ユーザの次の操作を待機する。
【００２８】
図２のステップＳ０６、Ｓ０９において、ユーザが未表示情報欄２６ａに表示されるリストを選択して、削除ボタン２６ｃを押すと、ステップＳ１０において、該当する画像を削除するとともに、画像管理ファイル２５から当該画像ファイルに関する情報を削除する。そして、ステップＳ０６において、メッセージ画面２６を表示して、ユーザの次の操作を待機する。  
図２のステップＳ１１において、ユーザがキャンセルボタン２６ｄを押すと、未表示画像に関する処理を終了して、ステップＳ１２〜Ｓ１３に示す画像の取込処理と、画像管理ファイル２５の生成処理を実行する。  
なお、ステップＳ１２〜Ｓ１３に示す画像の取込処理と、画像管理ファイル２５の生成処理は、既に説明しているため、再度の説明は省略する。
【００２９】
本発明に係る画像ファイリング処理では、上述のように画像取込時において未表示画像を検索するが、これに止まらず、ユーザが画像ファイリングソフトウエアを起動した場合においても未表示画像の検索が実行される。
【００３０】
図７は、ユーザが画像ファイリングソフトウエアを起動した場合の画像ファイリング処理の手順を示すフロー図である。  
ユーザが操作部１２から画像ファイリングソフトウエアの起動を入力すると、ステップＳ２１において、処理部１７は画像ファイリングソフトウエアを起動する。
【００３１】
ステップＳ２２において、画像ファイリングソフトウエアは、時間管理部１８から現在の日時を取得する。次に、ステップＳ２３において、画像管理ファイル２５の「表示予定日時」が、現在の日時よりも過去の日付となっている画像ファイルを検索する。  
ステップＳ２４でＹｅｓの場合、即ち、検索結果、該当する画像ファイルが存在する場合は、その画像ファイルは表示するべきであるにも関わらず表示されていないため、ステップＳ２５においてメッセージ画面２６を表示する。
【００３２】
ステップＳ２６〜Ｓ２７において、ユーザが未表示情報欄２６ａに表示されるリストを選択して、閲覧ボタン２６ｂを押すと、ステップＳ２８に示す検索結果画像閲覧処理（図５）を実行する。なお、この処理は既に説明しているため、再度の説明は省略する。  
そして、検索結果画像閲覧処理後はステップＳ２５に戻り、メッセージ画面２６を表示して、ユーザの次の操作を待機する。
【００３３】
図７のステップＳ２６、Ｓ２９において、ユーザが未表示情報欄２６ａに表示されるリストを選択して、削除ボタン２６ｃを押すと、ステップＳ３０において、該当する画像を削除するとともに、画像管理ファイル２５から当該画像ファイルに関する情報を削除する。そして、ステップＳ２５に戻り、メッセージ画面２６を表示して、ユーザの次の操作を待機する。  
図７のステップＳ３１において、ユーザがメッセージ画面２６のキャンセルボタン２６ｄを押すと、ステップＳ３２において、一度も表示されていない画像について、画像管理ファイル２５の「表示予定日時」に新たな日時を設定する。
【００３４】
なお、この表示予定日時の設定においては、一度も表示されていない画像ファイルについては、あまり間隔を置かない期間が望ましく、一度表示されている画像ファイルについては、ユーザが煩わしいと感じないある程度長い期間であることが望ましい。
【００３５】
なお、本発明に係る画像ファイリング処理では、上述のように画像取込時において未表示画像を検索するが、これに止まらず、ユーザが画像ファイリング装置を起動した場合に、未表示画像を検索するようにしても良い。なお、画像ファイリング装置を起動した場合の動作は、上述の画像ファイリングソフトウエアを起動した場合と同様であるためその詳細の説明は省略する。
【００３６】
また、上述の実施の形態では、未表示の画像を対象としているが、所定期間内で表示回数の少ない画像を対象としてメッセージを出力するようにしても良い。
【００３７】
［実施の形態の効果］
本実施の形態では、次のような特徴を備えている。  
（１）画像は取り込まれるとデータベースで管理され、取込日時と表示回数と表示日時と表示予定日時が設定される。  
（２）画像は閲覧されると、データベース上の表示回数が閲覧回数に応じて増加する。  
（３）画像を取込むタイミングで、過去の取込日時の画像に対して表示回数０の画像、即ち、未表示の画像が検索される。検索結果そのような画像が１枚以上存在する時には、ユーザに対してその旨をメッセージで通知する。  
（４）取込んだ画像に対して表示予定日時を設定し、また表示された画像に対しても表示予定日時を設定する。  
（５）管理用のソフトウエアを起動した場合、画像ファイリング装置を起動した場合、表示予定日時が経過している画像が検索される。検索結果そのような画像が１枚以上存在する時には、ユーザに対してその旨をメッセージで通知する。
【００３８】
このように、未表示のまま埋もれてしまっている画像、表示回数が少ない画像が存在する事をユーザに対して通知する事で、不必要な画像を削除したり、埋もれてしまった画像を発見させることができる。
【００３９】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００４０】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００４１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４２】
【図１】本発明の第１の実施の形態に係る画像ファイリング装置の構成を示す図。
【図２】画像ファイリング処理の手順を示すフロー図。
【図３】画像管理ファイルの内容を示す図。
【図４】メッセージ画面を示す図。
【図５】検索結果画像閲覧処理を示すフロー図。
【図６】検索画像一覧画面を示す図。
【図７】ユーザが画像ファイリングソフトウエアを起動した場合の画像ファイリング処理の手順を示すフロー図。
【符号の説明】
【００４３】
１０…画像ファイリング装置、１１…表示部、１２…操作部、１３…画像入力部、１４…画像管理ＤＢ、１５…画像メモリ、１６…プログラムメモリ、１７…処理部、１８…時間管理部、２５…画像管理ファイル、２６…メッセージ画面、２７…検索画像一覧画面。
【図１】
2007066241.tif 000003
【図２】
2007066241.tif 000004
【図３】
2007066241.tif 000005
【図４】
2007066241.tif 000006
【図５】
2007066241.tif 000007
【図６】
2007066241.tif 000008
【図７】
2007066241.tif 000009